(57)【要約】【課題】フォトマスク上の異物をフォトマスクを損傷させることなく容易に除去することができる異物除去方法を得ること。【解決手段】フォトマスク上に付着した異物を除去する異物除去方法において、エネルギー硬化物質を吐出するノズル６を、異物の位置情報に基づいて異物の位置に応じた位置に相対的に移動させる移動ステップと、ノズル６が異物上にエネルギー硬化物質を吐出して、異物をエネルギー硬化物質によって被覆させる被覆ステップと、所定のエネルギーを出力するエネルギー供給部３が、異物を被覆したエネルギー硬化物質にエネルギーを付与してエネルギー硬化物質を硬化させる硬化ステップと、硬化したエネルギー硬化物質をフォトマスク８から除去する除去ステップと、を含む。【選択図】        図１
2009265176.tif 000002
【特許請求の範囲】
【請求項１】
フォトマスク上に付着した異物を除去する異物除去方法において、
エネルギー硬化物質を吐出する吐出部を、前記異物のフォトマスク上での位置に関する情報に基づいて前記異物の位置に応じた位置に相対的に移動させる移動ステップと、
前記吐出部が前記異物上にエネルギー硬化物質を吐出して、前記異物を前記エネルギー硬化物質によって被覆させる被覆ステップと、
所定のエネルギーを出力するエネルギー出力装置が、前記異物を被覆したエネルギー硬化物質にエネルギーを付与して前記エネルギー硬化物質を硬化させる硬化ステップと、
硬化したエネルギー硬化物質を前記フォトマスクから除去する除去ステップと、
を含むことを特徴とする異物除去方法。
【請求項２】
前記硬化ステップは、前記フォトマスクの上面側に配設される針状部材を前記フォトマスクの上面側から前記エネルギー硬化物質に接触させた状態で、前記エネルギー硬化物質にエネルギーを付与して前記エネルギー硬化物質を硬化させ、
前記除去ステップは、前記針状部材が前記硬化したエネルギー硬化物質を前記フォトマスクから剥離することによって前記硬化したエネルギー硬化物質を前記フォトマスクから除去することを特徴とする請求項１に記載の異物除去方法。
【請求項３】
前記除去ステップは、前記硬化したエネルギー硬化物質を洗浄槽で洗浄することによって前記硬化したエネルギー硬化物質を前記フォトマスクから除去することを特徴とする請求項１に記載の異物除去方法。
【請求項４】
フォトマスク上に付着した異物を除去する異物除去装置において、
エネルギー硬化物質を吐出する吐出部と、
前記異物のフォトマスク上での位置に関する情報に基づいて、前記異物の位置に応じた位置に前記吐出部を相対的に移動させる移動制御部と、
前記エネルギー硬化物質にエネルギーを出力するエネルギー出力部と、
を備え、
前記吐出部は、前記異物上にエネルギー硬化物質を吐出して前記異物を前記エネルギー硬化物質によって被覆させ、
前記エネルギー出力部は、前記異物を被覆したエネルギー硬化物質にエネルギーを付与することによって前記エネルギー硬化物質を硬化させることを特徴とする異物除去装置。
【請求項５】
請求項１〜３の何れか１つに記載の異物除去方法によって異物を除去したフォトマスクを用いて半導体装置を作成することを特徴とする半導体装置の作製方法。
【発明の詳細な説明】
【技術分野】
【０００１】
本発明は、異物除去方法、異物除去装置および半導体装置の作製方法に関するものである。
【背景技術】
【０００２】
半導体素子の製造に用いられる露光用のフォトマスクは、パターン面上やブランクス面上に異物が付着すると、半導体パターンを焼き付ける際にパターン欠陥として転写され半導体回路パターンの品質に影響を及ぼしてしまう。このため、フォトマスクは、例えばマスクパターンの加工完了後に、洗浄液、イオン、ラジカル等を用いて化学的、物理的または電気的に、フォトマスクに付着した異物が取り除かれている。
【０００３】
例えば、特許文献１に記載のフォトマスク洗浄方法では、フォトマスクを、オゾン水洗浄部と、アイススクライブ洗浄部と、超音波洗浄部と、温水引き上げ乾燥部と、によって洗浄している。
【０００４】
しかしながら、上記従来の洗浄方法では、フォトマスク全体を洗浄することによって異物を取り除くので、フォトマスク上の清浄な部分も洗浄にさらされることになる。このため、フォトマスクから取り除かれた異物が、再度洗浄液の中でフォトマスク面に再付着する場合があった。
【０００５】
この問題点を解決するために、針等をフォトマスク上の異物に直接接触させて異物を物理的に除去する方法や、あるいは粒子線を異物に選択的に照射して取り除く方法などが提案されている。これらの方法では、フォトマスク上の異物付着部位（狭い領域）に対して機械的、物理的または電気的な作用を与えるので、異物付着領域のパターン膜やＱｚ（クオーツ）ガラス部にダメージを与えることとなる。このため、従来のフォトマスク洗浄方法では、少なからずパターン品質の低下を招いてしまっていた。
【０００６】
【特許文献１】特開平１０−６２６９５号公報
【発明の開示】
【発明が解決しようとする課題】
【０００７】
本発明は、フォトマスク上の異物を、フォトマスクを損傷させることなく容易に除去することができる異物除去方法、異物除去装置および半導体装置の作製方法を得ることを目的とする。
【課題を解決するための手段】
【０００８】
本願発明の一態様によれば、フォトマスク上に付着した異物を除去する異物除去方法において、エネルギー硬化物質を吐出する吐出部を、前記異物のフォトマスク上での位置に関する情報に基づいて前記異物の位置に応じた位置に相対的に移動させる移動ステップと、前記吐出部が前記異物上にエネルギー硬化物質を吐出して、前記異物を前記エネルギー硬化物質によって被覆させる被覆ステップと、所定のエネルギーを出力するエネルギー出力装置が、前記異物を被覆したエネルギー硬化物質にエネルギーを付与して前記エネルギー硬化物質を硬化させる硬化ステップと、硬化したエネルギー硬化物質を前記フォトマスクから除去する除去ステップと、を含むことを特徴とする異物除去方法が提供される。
【０００９】
また、本願発明の一態様によれば、フォトマスク上に付着した異物を除去する異物除去装置において、エネルギー硬化物質を吐出する吐出部と、前記異物のフォトマスク上での位置に関する情報に基づいて、前記異物の位置に応じた位置に前記吐出部を相対的に移動させる移動制御部と、前記エネルギー硬化物質にエネルギーを出力するエネルギー出力部と、を備え、前記吐出部は、前記異物上にエネルギー硬化物質を吐出して前記異物を前記エネルギー硬化物質によって被覆させ、前記エネルギー出力部は、前記異物を被覆したエネルギー硬化物質にエネルギーを付与することによって前記エネルギー硬化物質を硬化させることを特徴とする異物除去装置が提供される。
【発明の効果】
【００１０】
この発明によれば、フォトマスク上の異物をフォトマスクを損傷させることなく容易に除去することが可能になるという効果を奏する。
【発明を実施するための最良の形態】
【００１１】
以下に、本発明に係る異物除去方法、異物除去装置および半導体装置の作製方法の実施の形態を図面に基づいて詳細に説明する。なお、この実施の形態によりこの発明が限定されるものではない。
【００１２】
（第１の実施の形態）
図１は、本発明の第１の実施の形態に係る異物除去システムの構成を示す図である。異物除去システム（異物除去装置）は、フォトマスク（半導体素子製造などに用いる露光用のフォトマスク）８上の異物を除去することによってフォトマスク８を清浄化するシステムであり、エネルギー硬化物質で異物（ゴミやヘイズなど）を包み込んで異物を除去する。
【００１３】
異物除去システムは、制御装置１、１〜複数のエネルギー供給部３、エネルギー硬化物質供給部４Ａ，４Ｂ、配管５、ノズル（吐出部）６、ＸＹステージ（ＸＹテーブル）９を有している。ＸＹステージ９は、フォトマスク８の主面が鉛直方向（Ｚ方向）と垂直になるようフォトマスク８を載置するとともに、ＸＹ方向に移動する。
【００１４】
エネルギー硬化物質供給部４Ａ，４Ｂは、エネルギー硬化物質を格納しており、エネルギー硬化物質を配管５を介してノズル６へ供給する。エネルギー硬化物質供給部４Ａとエネルギー硬化物質供給部４Ｂとは、異なる種類のエネルギー硬化物質を格納している。異物除去システムでは、エネルギー硬化物質供給部４Ａ内のエネルギー硬化物質またはエネルギー硬化物質供給部４Ｂ内のエネルギー硬化物質から異物に応じたエネルギー硬化物質を選択して異物の除去を行なう。
【００１５】
エネルギー硬化物質は、所定のエネルギー（エネルギー線）が付与されることによって硬化する物質であり、例えば光硬化性樹脂、熱硬化性樹脂、圧力硬化性樹脂、電子線硬化性樹脂などである。以下の説明では、エネルギー硬化物質が光硬化性樹脂７である場合について説明する。光硬化性樹脂（紫外線硬化樹脂）７には、例えばナノインプリントや光ピックアップ接着、光ディスクピット成型等に用いられる樹脂を用いる。
【００１６】
ノズル６は、例えばカーボンナノチューブやシリコンなどを用いて作成される針状部材であり、配管５を介して送られてくる光硬化性樹脂７をフォトマスク８の異物上に吐出する。ノズル６は、例えば概略円錐台状をなしており、上底面および下底面がＸＹステージの主面と平行な方向となる位置に配置されている。ノズル６は、下底側が配管５に接続されるとともに、上底面がフォトマスク８側を向いている。ノズル６は、下底面から上底面へ向かって鉛直方向に貫通穴が設けられており、配管５からの光硬化性樹脂７は、ノズル６の下底側から貫通穴へ送られるとともに、貫通穴の上底側から吐出される。
【００１７】
ノズル６は、ＸＹ方向が所定の位置に固定されており、フォトマスク８を載置したＸＹステージがＸＹ方向へ移動することによって、ノズル６はフォトマスク８上のＸＹ平面内を相対的に移動する。ノズル６は、微動機構を有しており、鉛直方向に移動可能なよう構成されている。ノズル６は、光硬化性樹脂７を異物に吐出する際には、鉛直方向の下側に移動し、光硬化性樹脂７が光エネルギーによって硬化した後、硬化した光硬化性樹脂７と接着した状態で光硬化性樹脂７とともに鉛直方向の上側に移動する。
【００１８】
ノズル６は、異物を除去する機能を有した機能素子であり、例えばＡＦＭ（Atomic  Force  Microscope）の探針を用いる。ノズル６の上底は、例えば２０〜３０μｍであり、ノズル６の下底は、例えば１００μｍである。ノズル６から吐出された光硬化性樹脂７は、フォトマスク８上の異物の上に吐出される。この光硬化性樹脂７は、異物を包括するよう被覆する。
【００１９】
エネルギー供給部３は、光エネルギーや熱エネルギーなどの所定のエネルギーを出力するエネルギー出力装置（エネルギー出力部）であり、異物上に吐出された光硬化性樹脂７にエネルギーを供給することによって、光硬化性樹脂７を硬化させる。本実施の形態のエネルギー硬化物質は、光硬化性樹脂７であるので、エネルギー供給部３は、紫外光などの光を照射する光源である。エネルギー供給部３は、フォトマスク８の全体に光を照射してもよいし、フォトマスク８上に吐出された光硬化性樹脂７の近傍にのみ光を照射してもよい。
【００２０】
制御装置１は、例えばＰＣ（Personal  Computer）などによって構成されており、エネルギー供給部３、エネルギー硬化物質供給部４Ａ，４Ｂ、配管５、ＸＹステージ９を制御する。制御装置１は、異物に関する情報（以下、異物情報という）に基づいて、エネルギー供給部３、エネルギー硬化物質供給部４Ａ，４Ｂ、配管５、ＸＹステージ９を制御する。異物情報は、例えば異物のフォトマスク８上での付着位置（フォトマスク８上の座標）、異物の大きさ、異物の形状、異物を構成する物質などの情報である。制御装置１は、異物情報に基づいて、エネルギー硬化物質供給部４Ａ，４Ｂに供給させる光硬化性樹脂７の種類や出力量、エネルギー供給部３から供給させるエネルギー量（光の出射時間やパワー）、配管５のバルブの開閉量、ＸＹステージ９の位置、ノズル６の位置などを制御する。
【００２１】
異物除去システムでは、例えば制御装置１と図示しない欠陥検査装置（パターン面を検査してフォトマスク８上の異物を検出する装置）とを接続しておく。そして、制御装置１は、欠陥検査装置から送られてくる異物情報を受信することによって異物情報を取得する。欠陥検査装置は、光学的な欠陥検査によってこのフォトマスク８上にある異物のサイズや正確な位置（座標）を把握することができる装置である。欠陥検査装置は、フォトマスク８上のパターン同士（２つのチップパターン）を比較して欠陥を検出する方式（Ｄｉｅ−Ｄｉｅ）や、フォトマスク８のパターンと設計図（ＣＡＤデータ）とを比較して欠陥を検出する方式（Ｄｉｅ−Ｄａｔａｂａｓｅ）などによって欠陥検査を行ない、異物情報を生成する。
【００２２】
つぎに、制御装置１の詳細な構成について説明する。図２は、制御装置の構成を示す機能ブロック図である。制御装置１は、異物情報入力部１１、樹脂種類判断部１２、樹脂量判断部１３、ステージ制御部（移動制御部）１４、ノズル制御部１５、吐出制御部１６、硬化制御部１７を有している。
【００２３】
異物情報入力部１１は、欠陥検査装置で作成された異物情報を入力する。異物情報入力部１１は、異物情報を樹脂種類判断部１２、樹脂量判断部１３、ステージ制御部１４、ノズル制御部１５、吐出制御部１６、硬化制御部１７に送る。
【００２４】
樹脂種類判断部１２は、異物情報に基づいて、何れの種類の光硬化性樹脂７を異物に吐出させるかを判断する。樹脂種類判断部１２は、判断結果を樹脂種類情報として樹脂量判断部１３、ノズル制御部１５、吐出制御部１６、硬化制御部１７に送る。
【００２５】
樹脂量判断部１３は、異物情報に基づいて、異物に吐出する光硬化性樹脂７の量（吐出量）を判断する。樹脂量判断部１３は、例えば異物の大きさや形状に基づいて、異物に吐出する光硬化性樹脂７の量を決定する。樹脂量判断部１３は、異物を被覆した光硬化性樹脂７が所定サイズ（直径）以上となるよう光硬化性樹脂７の量を決定してもよいし、異物のサイズよりも所定の割合だけ大きくなるよう光硬化性樹脂７の量を決定してもよい。これにより、樹脂量判断部１３は、異物を被覆した光硬化性樹脂７が１μｍなどの所定サイズまたは異物の２倍のサイズなどになるよう光硬化性樹脂７の吐出量を決定する。樹脂量判断部１３は、判断結果を吐出量情報としてノズル制御部１５、吐出制御部１６、硬化制御部１７に送る。ステージ制御部１４は、異物情報（異物のフォトマスク８上での付着位置）に基づいて、ＸＹステージのＸＹ平面内の位置を制御する。
【００２６】
ノズル制御部１５は、異物除去プログラムや異物情報に基づいて、ノズル６の上下方向の位置を制御する。異物除去プログラムは、異物情報を用いてフォトマスク８上の異物を除去するためのプログラムである。異物除去プログラムでは、フォトマスク８から異物を除去する際の、異物除去システムの動作手順が設定されている。ノズル制御部１５は、光硬化性樹脂７を異物に吐出する際にノズル６を下側に移動させる。また、ノズル制御部１５は、光硬化性樹脂７が光エネルギーによって硬化させられた後、ノズル６を上側に移動させる。
【００２７】
ノズル制御部１５は、光硬化性樹脂７を吐出する際に、樹脂種類情報、吐出量情報、異物情報（異物のサイズなど）に応じた位置までノズル６を降下させる。ノズル６は、例えば異物へ吐出する光硬化性樹脂７の量が多い場合には高い降下位置（Ｚ座標）まで降下し、異物へ吐出する光硬化性樹脂７の量が少ない場合には低い降下位置（まで降下する。また、ノズル６は、例えば異物へ吐出する光硬化性樹脂７の粘度が高い場合には高い降下位置まで降下し、異物へ吐出する光硬化性樹脂７の粘度が低い場合には低い降下位置まで降下する。
【００２８】
吐出制御部１６は、異物除去プログラムと、樹脂種類情報と、吐出量情報と、に基づいて、エネルギー硬化物質供給部４Ａ，４Ｂ、配管５、ノズル６を制御する。吐出制御部１６は、樹脂種類情報に対応する光硬化性樹脂７の供給手段として、エネルギー硬化物質供給部４Ａまたはエネルギー硬化物質供給部４Ｂの何れか一方を選択する。吐出制御部１６は、選択したエネルギー硬化物質供給部４Ａまたはエネルギー硬化物質供給部４Ｂから、吐出量情報に応じた送出量だけ光硬化性樹脂７を送出させる。また、吐出制御部１６は、樹脂種類情報および吐出量情報に応じた量だけ配管５のバルブを開閉させる。
【００２９】
さらに、硬化制御部１７は、異物除去プログラムと、樹脂種類情報と、吐出量情報と、に基づいて、エネルギー供給部３を制御する。硬化制御部１７は、例えば異物へ吐出する光硬化性樹脂７の種類や吐出量に応じた時間だけエネルギー供給部３から光を照射させる。
【００３０】
制御装置１は、ＣＰＵ（制御部）と、ＲＯＭやＲＡＭなどの記憶部と、ＨＤＤ、ＣＤドライブ装置などの外部記憶部と、液晶モニタなどの表示部と、キーボードやマウスなどの入力部を備えており、コンピュータを用いたハードウェア構成となっている。
【００３１】
制御装置１で実行される異物除去プログラムは、上述した各部（異物情報入力部１１、樹脂種類判断部１２、樹脂量判断部１３、ステージ制御部１４、ノズル制御部１５、吐出制御部１６、硬化制御部１７）を含むモジュール構成となっており、実際のハードウェアとしてはＣＰＵが異物除去プログラムを読み出して実行することにより上記各部が主記憶装置上にロードされ、異物情報入力部１１、樹脂種類判断部１２、樹脂量判断部１３、ステージ制御部１４、ノズル制御部１５、吐出制御部１６、硬化制御部１７が主記憶装置上に生成されるようになっている。
【００３２】
つぎに、第１の実施の形態に係る異物除去システムの異物除去処理手順について説明する。図３は、第１の実施の形態に係る異物除去システムの異物除去処理手順を示すフローチャートである。
【００３３】
まず、欠陥検査装置で作成された異物情報が制御装置１の異物情報入力部１１から入力される（ステップＳ１１０）。図４は、異物情報の構成の一例を示す図である。異物情報１０１は、フォトマスク８上の異物に関する情報であり、「異物Ｎｏ．」、「座標」、「位置種類」、「大きさ」、「異物種類」がそれぞれ対応付けされている。
【００３４】
「異物Ｎｏ．」は、フォトマスク８上の異物を識別する識別情報である。「座標」は、異物のフォトマスク８（ＸＹステージ）上の座標である。「位置種類」は、異物が付着している位置の種類を示す情報である。例えば、「位置種類」の「パターンエッジ」は、異物がフォトマスク８上のパターンエッジ部分にあることを示す。また、「パターン上」は、異物がフォトマスク８のパターン上にあることを示す。また、「パターン外」は、異物がフォトマスク８のパターン外（ガラス基板上）にあることを示す。「大きさ」は、異物の大きさ（寸法）であり、「異物種類」は、異物の種類である。異物の種類は、例えば異物の形状、色、寸法、組成などによって分類される。
【００３５】
図４に示した異物情報１０１では、「異物Ｎｏ．」が「００１」の異物は、「座標」が（ｘ１，ｙ１）であり、「位置種類」が「パターンエッジ」であり、「大きさ」が「５０μｍ」であり、「異物種類」が「ｋ１」である場合を示している。
【００３６】
異物情報入力部１１に入力された異物情報１０１は、樹脂種類判断部１２、樹脂量判断部１３、ステージ制御部１４、ノズル制御部１５、吐出制御部１６、硬化制御部１７に送られる。樹脂種類判断部１２は、異物情報１０１に基づいて、何れの種類の光硬化性樹脂７を異物に吐出させるかを判断する（ステップＳ１２０）。樹脂種類判断部１２は、判断結果を樹脂種類情報として樹脂量判断部１３、ノズル制御部１５、吐出制御部１６、硬化制御部１７に送る。以下では、樹脂種類判断部１２が樹脂種類情報としてエネルギー硬化物質供給部４Ａ内の光硬化性樹脂７を指定した情報を、樹脂量判断部１３、ノズル制御部１５、吐出制御部１６、硬化制御部１７に送る場合について説明する。
【００３７】
樹脂量判断部１３は、樹脂種類情報、異物情報１０１に基づいて、異物に吐出する光硬化性樹脂７の吐出量を判断する（ステップＳ１３０）。樹脂量判断部１３は、判断結果を吐出量情報としてノズル制御部１５、吐出制御部１６、硬化制御部１７に送る。
【００３８】
ステージ制御部１４は、異物情報１０１の「座標」に基づいて、除去対象となっている１つ目の異物の位置（座標）にノズル６が来るようＸＹステージ９の位置を移動させる（ステップＳ１４０）。ステージ制御部１４は、例えば「異物Ｎｏ．」が「００１」の異物を除去する場合には、ノズル６が「ｘ１，ｙ１」の座標となるようＸＹステージ９の位置をＸＹ平面内で移動させる。
【００３９】
吐出制御部１６は、異物除去プログラムと、樹脂種類情報と、吐出量情報と、異物情報１０１と、に基づいて、エネルギー硬化物質供給部４Ａ、配管５、ノズル６を制御する。具体的には、吐出制御部１６は、樹脂種類情報に対応する光硬化性樹脂７の供給手段として、エネルギー硬化物質供給部４Ａを選択する。吐出制御部１６は、選択したエネルギー硬化物質供給部４Ａから、吐出量情報に応じた送出量だけ光硬化性樹脂７を送出させる。さらに、吐出制御部１６は、樹脂種類情報および吐出量情報に応じた量だけ配管５のバルブを開閉させる。これにより、エネルギー硬化物質供給部４Ａからの光硬化性樹脂７が配管５を介してノズル６に送られてくる。そして、ノズル６の先端部から光硬化性樹脂７が吐出される（ステップＳ１５０）。ノズル６から吐出される光硬化性樹脂７は、所定の粘度を有しており、図５（ａ）に示すようにノズル６の先端部に粘着する。
【００４０】
図５および図６は、実施の形態１に係る異物除去システムの異物除去手順を説明するための図である。図５、図６では、フォトマスク８上に形成されているマスクパターン（パターン膜）（フォトマスク遮光膜）８１とマスクパターン８１との間のクオーツガラス面（フォトマスク８面上）に、異物Ｐが付着している場合を示している。マスクパターン８１は、例えばクロムなどによって形成されており、マスクパターン８１とマスクパターン８１の間の間隔寸法は、例えば２００ｎｍ程度である。
【００４１】
ノズル６の先端部から光硬化性樹脂７を吐出させた後、ノズル制御部１５は、光硬化性樹脂７が粘着しているノズル６を下側（異物Ｐ側）に降下させる（ステップＳ１６０）。このとき、ノズル制御部１５は、樹脂種類情報、吐出量情報、異物Ｐのサイズなどに応じた位置までノズル６を降下させる。これにより、ノズル６の先端部に粘着していた光硬化性樹脂７は、異物Ｐおよびフォトマスク８と接触する。そして、光硬化性樹脂７がノズル６の先端部、異物Ｐ、フォトマスク８に粘着することとなる。このとき、光硬化性樹脂７は、図５（ｂ）に示すように、異物を包みこむように被覆するとともに、光硬化性樹脂７の上部でノズル６に密着し、光硬化性樹脂７の下部でフォトマスク８の表面に密着する（ステップＳ１７０）。
【００４２】
硬化制御部１７は、樹脂種類情報や吐出量情報に基づいて、エネルギー供給部３を制御する。具体的には、硬化制御部１７は、図６（ｃ）に示すように、例えば異物へ吐出する光硬化性樹脂７の種類や吐出量に応じた時間だけエネルギー供給部３から光を照射させる。これにより、ノズル６の先端部、異物、フォトマスク８に粘着した状態の光硬化性樹脂７は、硬化（固化）することとなる（ステップＳ１８０）。これにより、光硬化性樹脂７は、ノズル６およびフォトマスク８と固着（接着）した状態となる。物体間の固着力は、例えば物体の素材（材質）、あるいは表面処理などによって決まるものである。そこで、本実施の形態では、光硬化性樹脂７とノズル６との間の固着力（物理間力）が、光硬化性樹脂７とフォトマスク８との間の固着力よりも大きくなるような光硬化性樹脂７を用いる。
【００４３】
ノズル制御部１５は、光硬化性樹脂７を光エネルギーによって硬化させた後、ノズル６を上側に移動させる（ステップＳ１９０）。ノズル６を上側（フォトマスク８から遠ざかる方向）に移動させると、固着力の強い部分（光硬化性樹脂７とノズル６の固着）は固着を維持できるが、固着力の弱い部分（光硬化性樹脂７とフォトマスク８の固着）は固着を維持できなくなる。このため、光硬化性樹脂７は、フォトマスク８に光硬化性樹脂７を残すことなくフォトマスク８から剥離される。
【００４４】
これにより、図６（ｄ）に示すように異物Ｐとともに光硬化性樹脂７がフォトマスク８から除去されることとなる。この後、ＸＹステージ９を移動させることによって、ノズル６をＸＹステージ９の外側まで移動させ、ＸＹステージ９の外側で光硬化性樹脂７がノズル６から剥離される。異物除去システムは、異物情報１０１および異物除去プログラムに基づいて、次に除去対象となる異物Ｐに対してステップＳ１２０〜Ｓ１９０の処理を繰り返す。ＬＳＩ（Large  Scale  Integration）などの半導体装置を作製する際には、異物が除去されたフォトマスク８を用いて露光工程が実施される。
【００４５】
このように、ノズル６によって異物毎に除去を行なうので、除去した異物がフォトマスク８上に再付着することを防止できる。また、フォトマスク８上の異物を上側へ引き抜くよう選択的に除去するので、フォトマスク８のパターン面やガラス面にダメージを与えることなく異物を除去することが可能となる。
【００４６】
なお、本実施の形態では、エネルギー硬化性物質が光硬化性樹脂７である場合について説明したが、エネルギー硬化性物質が熱硬化性樹脂である場合、エネルギー供給部３からは、赤外光や温風などの熱エネルギーを供給する。この場合の熱エネルギーは、フォトマスク８の上面側から熱硬化性樹脂に供給してもよいし、フォトマスク８の下面側から熱硬化性樹脂に供給してもよい。
【００４７】
また、エネルギー硬化性物質が電子線硬化性樹脂である場合、エネルギー供給部３からは、荷電粒子等のエネルギーを供給する。この場合のエネルギーは、フォトマスク８の上面側から熱硬化性樹脂に供給する。
【００４８】
また、エネルギー硬化性物質が圧力硬化性樹脂である場合、密閉された空間内にフォトマスク８を入れておき、エネルギー供給部３から気体を供給することによって圧力硬化性樹脂を加圧する。
【００４９】
また、本実施の形態では、ＸＹステージ９をＸＹ方向に移動させることによって、ノズル６を異物Ｐの位置まで移動させたが、ＸＹステージ９を固定するとともにノズル６をＸＹ方向に移動させることによって、ノズル６を異物Ｐの位置まで移動させてもよい。
【００５０】
また、本実施の形態では、制御装置１が欠陥検査装置から異物情報を受信する場合について説明したが、制御装置１への異物情報の入力は可搬性の記録媒体（例えば、ＣＤ（Compact  Disk）やＤＶＤ（Digital  Versatile  Disk）など）を介して行ってもよい。
【００５１】
また、本実施の形態では、ノズル６から光硬化性樹脂７を吐出させた後、ノズル６を異物側へ降下させたが、ノズル６を異物側へ降下させた後にノズル６から光硬化性樹脂７を吐出させてもよい。
【００５２】
このように第１の実施の形態によれば、針状のノズル６によって異物毎に除去を行なうので、除去した異物のフォトマスク８上への再付着を防止できる。また、フォトマスク８上の異物を上側へ引き抜くように除去するので、フォトマスク８のパターン面やガラス面にダメージを与えることなく容易に異物を除去することが可能となる。
【００５３】
（第２の実施の形態）
つぎに、図７〜図１１を用いてこの発明の実施の形態２について説明する。第２の実施の形態ではノズル６から光硬化性樹脂７を異物へ滴下し、その後、異物を被覆した光硬化性樹脂７を硬化させる。そして、異物よりもサイズが大きくなった光硬化性樹脂７を、洗浄液などによってフォトマスク８上から除去する。
【００５４】
図７は、第２の実施の形態に係る異物除去システムの異物除去処理手順を示すフローチャートである。なお、第１の実施の形態で説明した図３の異物除去処理手順と同様の処理手順については、その説明を省略する。
【００５５】
まず、欠陥検査装置で作成された異物情報が制御装置１の異物情報入力部１１から入力される（ステップＳ２１０）。この後、異物除去システムは、第１の実施の形態の異物除去システムと同様の処理を行なう（ステップＳ２２０〜Ｓ２４０）。ここでのステップＳ２１０〜Ｓ２４０の処理が、図３に示したステップＳ１１０〜Ｓ１４０の処理に対応している。
【００５６】
ステージ制御部１４が、１つ目の異物の位置にノズル６が来るようＸＹステージ９の位置を移動させた後、吐出制御部１６は、異物除去プログラムと、樹脂種類情報と、滴下量情報と、に基づいて、エネルギー硬化物質供給部４Ａ、配管５を制御する。具体的には、吐出制御部１６は、樹脂種類情報に対応する光硬化性樹脂７の供給手段として、エネルギー硬化物質供給部４Ａを選択する。吐出制御部１６は、選択したエネルギー硬化物質供給部４Ａから、滴下量情報に応じた送出量だけ光硬化性樹脂７を送出させる。さらに、吐出制御部１６は、樹脂種類情報および滴下量情報に応じた量だけ配管５のバルブを開閉させる。これにより、エネルギー硬化物質供給部４Ａからの光硬化性樹脂７が配管５を介してノズル６に送られてくる。そして、ノズル６の先端部から光硬化性樹脂７が吐出（出射）されてフォトマスク８上に滴下される（ステップＳ２５０）。このように、本実施の形態では、ノズル６を異物の近傍まで降下させることなく、ノズル６から光硬化性樹脂７を滴下する。ノズル６から滴下された光硬化性樹脂７は、図８（ａ）に示すようにフォトマスク８上の異物上に落下する。
【００５７】
図８および図９は、実施の形態２に係る異物除去システムの異物除去手順を説明するための図である。図８、図９では、図５、図６と同様に、フォトマスク８上に形成されているマスクパターン８１間のクオーツガラス面に異物Ｐが付着している場合を示している。
【００５８】
フォトマスク８上に落下した光硬化性樹脂７は、異物Ｐおよびフォトマスク８に粘着する。このとき、光硬化性樹脂７は、異物Ｐを包みこむように被覆するとともに、光硬化性樹脂７の下側でフォトマスク８の表面に密着する。
【００５９】
硬化制御部１７は、樹脂種類情報や滴下量情報などに基づいて、エネルギー供給部３を制御する。具体的には、硬化制御部１７は、図８（ｂ）に示すように、例えば異物Ｐへ滴下する光硬化性樹脂７の種類や滴下量に応じた時間だけエネルギー供給部３から光を照射させる。これにより、ノズル６の先端部、異物Ｐ、フォトマスク８に粘着した状態の光硬化性樹脂７は硬化することとなる（ステップＳ２６０）。これにより、光硬化性樹脂７は、フォトマスク８に固着した状態となる。本実施の形態では、光硬化性樹脂７が異物Ｐを被覆して異物Ｐと接着するが、光硬化性樹脂７とフォトマスク８とは弱い固着力で固着するような光硬化性樹脂７を用いる。また、洗浄後の光硬化性樹脂７がフォトマスク８上に再付着しないよう、所定量以上の光硬化性樹脂７を用いて異物Ｐを被覆し、所定サイズ以上の光硬化性樹脂７を硬化させる。異物除去システムは、異物情報１０１や異物除去プログラムに基づいて、次に除去対象となる異物Ｐに対してステップＳ２２０〜Ｓ２６０の処理を繰り返す。
【００６０】
全ての異物Ｐを光硬化性樹脂７で包み込んで硬化させた後、フォトマスク８を洗浄槽４１に入れて、フォトマスク８上の光硬化性樹脂７を洗浄する。洗浄槽４１は、所定の洗浄液で満たされた槽であり、この洗浄液によってフォトマスク８上から光硬化性樹脂７を洗浄する（ステップＳ２７０）。これにより、光硬化性樹脂７は、フォトマスク８に光硬化性樹脂７を残すことなくフォトマスク８から剥離される。洗浄後の光硬化性樹脂７は、洗浄槽４１内に残留することとなるが、本実施の形態の光硬化性樹脂７は、所定サイズ以上の大きさであり、かつ既に硬化しているので粘度が小さくなっている。このため、硬化後の光硬化性樹脂７はフォトマスク８に再付着しにくくなっている。これにより、図６（ｃ）に示すように異物Ｐとともに光硬化性樹脂７がフォトマスク８から除去されることとなる。
【００６１】
このように、異物よりも大きなサイズの光硬化性樹脂７を洗浄槽４１で洗浄するので、光硬化性樹脂７のフォトマスク８への再付着を防止しながら容易にフォトマスク８上の異物を除去することが可能となる。
【００６２】
なお、本実施の形態では、洗浄槽４１によって光硬化性樹脂７を洗浄する場合について説明したが、ノズル６などの針状部材によって硬化後の光硬化性樹脂７を剥離してもよい。この場合、光硬化性樹脂７を硬化させた後、ノズル制御部１５は、ノズル６を下側（異物Ｐ側）に降下させる。このとき、ノズル制御部１５は、樹脂種類情報や滴下量情報などに応じた位置（硬化後の光硬化性樹脂７のサイズに応じた位置）までノズル６を降下させる。
【００６３】
そして、ノズル制御部１５は、ノズル６を光硬化性樹脂７に接触させた後、ノズル６をＸＹ平面方向に移動させながら上側に移動させる。これにより、図９（ｄ）に示すように、光硬化性樹脂７は、フォトマスク８に光硬化性樹脂７を残すことなくフォトマスク８から剥離され、異物Ｐとともにフォトマスク８から除去されることとなる。この後、ＸＹステージ９を移動させることによって、ノズル６をＸＹステージ９の外側まで移動させ、ＸＹステージ９の外側で光硬化性樹脂７がノズル６から剥離される。
【００６４】
このように、異物よりも大きなサイズの光硬化性樹脂７をノズル６で剥離するので、異物Ｐだけをフォトマスク８から剥離する場合よりも小さな力でフォトマスク８から光硬化性樹脂７を剥離することが可能となる。
【００６５】
このように第２の実施の形態によれば、異物Ｐよりも大きなサイズの光硬化性樹脂７を洗浄槽４１で洗浄して、フォトマスク８から異物Ｐを除去するので、光硬化性樹脂７のフォトマスク８への再付着を防止しつつ容易にフォトマスク８上の異物を除去することが可能となる。
【００６６】
なお、第１および第２の実施の形態では、ノズル６から光硬化性樹脂７を吐出、滴下することによってノズル６の先端部分に光硬化性樹脂７を粘着させたが、この方法以外の他の方法によってノズル６の先端部分に光硬化性樹脂７を粘着させてもよい。例えば、ＸＹステージ９の外側に光硬化性樹脂７を格納する開口した容器を設けておき、この容器の開口部にノズル６を入れて、ノズル６の先端部分に容器内の光硬化性樹脂７を粘着させてもよい。この場合、ノズル６の先端部分に光硬化性樹脂７を粘着させる際には、ノズル６をＸＹステージ９の外側に移動させるとともに、光硬化性樹脂７をフォトマスク８側に粘着させる際には、ノズル６をＸＹステージ９の内側に移動させる。
【００６７】
また、第１および第２の実施の形態では、円錐台状のノズル６を用いる場合について説明したが、ノズル６の上底面（異物側の先端部）に凹凸を設けてもよい。図１０は、先端部に凹凸が設けられたノズルの構成を示す図であり、ノズル６の断面図を示している。図１０に示すように、ノズル６の先端部に凹凸部６１を設けることによって、光硬化性樹脂７を剥離する際に光硬化性樹脂７と接触するノズル６の表面積が大きくなる。これにより、光硬化性樹脂７とノズル６との間の固着力が大きくなり、光硬化性樹脂７とノズル６との間の固着力と、光硬化性樹脂７とフォトマスク８との間の固着力と、の差が大きくなる。したがって、小さな力でフォトマスク８から光硬化性樹脂７を剥離することが可能となる。
【００６８】
また、第１および第２の実施の形態では、ノズル６から光硬化性樹脂７を吐出や滴下させるとともに、ノズル６によって光硬化性樹脂７を除去する場合について説明したが、光硬化性樹脂７を吐出や滴下させる機能（樹脂出液部）と、光硬化性樹脂７を除去する機能（除去部）とを別々の構成にしてもよい。
【００６９】
図１１は、樹脂出液部と除去部の構成を示す図である。樹脂出液部５３は、貫通穴を有した管状をなしており、除去部５２は概略針状をなしている。樹脂出液部５３は、配管５に接続されており、配管５からの光硬化性樹脂７をフォトマスク８へ出射または滴下する。また、除去部５２は、樹脂出液部５３と独立して構成されており、支持部材５１によって固定されている。
【００７０】
例えば、第１の実施の形態で説明した異物除去システムに、これらの構成（樹脂出液部５３など）を適用する場合、フォトマスク８上の異物Ｐに光硬化性樹脂７を出射する際に、樹脂出液部５３と除去部５２を異物の近傍まで降下させる。そして、樹脂出液部５３は、光硬化性樹脂７を異物Ｐ上に出射させて光硬化性樹脂７をフォトマスク８および除去部５２に接触させる。これにより、光硬化性樹脂７が除去部５２の先端部、異物Ｐ、フォトマスク８に粘着することとなる。このとき、光硬化性樹脂７は、異物Ｐを包みこむように被覆するとともに、光硬化性樹脂７の上部で除去部５２に密着し、光硬化性樹脂７の下部でフォトマスク８の表面に密着する。この後、第１の実施の形態で説明した手順によって光硬化性樹脂７を硬化させて、異物Ｐを光硬化性樹脂７とともにフォトマスク８上から除去する。
【００７１】
また、第２の実施の形態で説明した異物除去システムに、上述した樹脂出液部５３などの構成を適用する場合、フォトマスク８上の異物に光硬化性樹脂７を滴下する際に、樹脂出液部５３と除去部５２を異物の近傍まで降下させることなく、樹脂出液部５３が光硬化性樹脂７を異物上に滴下させる。これにより、光硬化性樹脂７が異物に粘着することとなる。このとき、光硬化性樹脂７は、異物を包みこむように被覆するとともに、光硬化性樹脂７の下部でフォトマスク８の表面に密着する。この後、第２の実施の形態で説明した手順によって光硬化性樹脂７を硬化させて、異物を光硬化性樹脂７とともにフォトマスク８上から除去する。
【００７２】
なお、第１および第２の実施の形態で説明した異物除去を行なう前や後に、フォトマスク８の洗浄を行ってもよい。これにより、容易に除去できる異物は洗浄によって除去し、除去の困難な異物のみを第１および第２の実施の形態で説明した方法によって除去することができる。
【図面の簡単な説明】
【００７３】
【図１】第１の実施の形態に係る異物除去システムの構成を示す図である。
【図２】制御装置の構成を示す機能ブロック図である。
【図３】第１の実施の形態に係る異物除去システムの異物除去処理手順を示すフローチャートである。
【図４】異物情報の構成の一例を示す図である。
【図５】実施の形態１に係る異物除去システムの異物除去手順を説明するための図（１）である。
【図６】実施の形態１に係る異物除去システムの異物除去手順を説明するための図（２）である。
【図７】第２の実施の形態に係る異物除去システムの異物除去処理手順を示すフローチャートである。
【図８】実施の形態２に係る異物除去システムの異物除去手順を説明するための図（１）である。
【図９】実施の形態２に係る異物除去システムの異物除去手順を説明するための図（２）である。
【図１０】先端部に凹凸が設けられたノズルの構成を示す図である。
【図１１】樹脂出液部と除去部の構成を示す図である。
【符号の説明】
【００７４】
１  制御装置、３  エネルギー供給部、４Ａ，４Ｂ  エネルギー硬化物質供給部、６  ノズル、７  光硬化性樹脂、８  フォトマスク、４１  洗浄槽、５２  除去部、５３  樹脂出液部、８１  マスクパターン、Ｐ  異物
【図１】
2009265176.tif 000003
【図２】
2009265176.tif 000004
【図３】
2009265176.tif 000005
【図４】
2009265176.tif 000006
【図５】
2009265176.tif 000007
【図６】
2009265176.tif 000008
【図７】
2009265176.tif 000009
【図８】
2009265176.tif 000010
【図９】
2009265176.tif 000011
【図１０】
2009265176.tif 000012
【図１１】
2009265176.tif 000013